(57)【要約】【課題】  この発明は、スナップ式ボタンに磁性体（永久磁石）を組み合わせる事により、ボタン本来の機能と、治療効果を有する機能とを兼ね備えたスナップ式磁気ボタンを開発・提供する事にある。【解決手段】  この発明は、ステム付キャップとソケットを組み合わせて成るスナップ式ボタンにおいて、ステム付キャップ側のキャップ部に空隙部を形成し、或いは、キャップ側の空隙部を利用し、該空隙部に磁石を設け、或いは、ステム付キャップ側を磁性体で形成した事を特徴とするスナップ式磁気ボタンから構成される。【選択図】  図３
2005160682.tif 000002
【特許請求の範囲】
【請求項１】
ステム（５）付キャップ（１）とソケット（６）を組み合わせて成るスナップ式ボタンにおいて、ステム（５）付キャップ（１）側のキャップ部（２）に空隙部（３）を形成し、或いは、キャップ（１）側の空隙部（３）を利用し、該空隙部（３）に磁石（４）を設けた事を特徴とするスナップ式磁気ボタン。
【請求項２】
ステム（５）付キャップ（１’）とソケット（６）を組み合わせて成るスナップ式ボタンにおいて、ステム（５）付キャップ（１’）側を磁性体で形成した事を特徴とするスナップ式磁気ボタン。
【発明の詳細な説明】
【技術分野】
【０００１】
この発明は、スナップ式磁気ボタンに関するものである。
【背景技術】
【０００２】
従来、ボタンは、衣類、寝具、或いは袋物類の開きを止めたり、飾り等に用いられるものである。
【０００３】
そして、ボタンは、相当な種類のものが存在するが、スナップ式のボタンは、大抵、衣類の特に下着や、布団カバーや枕カバー等の寝具類に装着される場合が多いものである。
【０００４】
近年、磁石を身体に装着して、磁石の持つ磁力線を利用する事により、血液の流れを良くする事により、鬱血を解消する事が行われている。（例えば、特許文献１参照。）
【特許文献１】特開２０００−３１４００１（Ｐ２０００−３１４００１Ａ）
【発明の開示】
【発明が解決しようとする課題】
【０００５】
そこで、この発明は、スナップ式ボタンに磁性体（永久磁石）を組み合わせる事により、ボタン本来の機能と、治療効果を有する機能とを兼ね備えたスナップ式磁気ボタンを開発・提供する事にある。
【課題を解決するための手段】
【０００６】
この発明は、スナップ式ボタンにおいて、ステム付キャップのキャップ部に空隙部を形成し、或いは、ステム付キャップのキャップ部に設けた空隙部を利用し、該空隙部に磁石を設け、或いは、キャップ側を磁性体で形成した事を特徴とする磁気ボタンから構成される。
【発明の効果】
【０００７】
この発明によると、スナップ式ボタンで有りながら、ステム付キャップのキャップ部に磁石を挿入するか、或いは、キャップ部材を磁性材で形成する為、該キャップに当接する身体の部分は磁力線によって血液の流れが良くなる等の効果を奏するものである。
【発明を実施するための最良の形態】
【０００８】
この発明の最良の形態は、スナップ式ボタンにおいて、ステム付キャップのキャップ部に空隙部を形成し、該空隙部に磁石を設けたり、キャップを磁石で構成するものである。
【実施例１】
【０００９】
次に、この発明の一実施例を図１〜図２に従って詳述すると、ステム（５）付キャップ（１）とソケット（６）を組み合わせて成るスナップ式ボタンにおいて、ステム（５）付キャップ（１）側のキャップ部（２）に空隙部（３）を形成し、或いは、キャップ（１）側の空隙部（３）を利用し、該空隙部（３）に磁石（４）を設けた事を特徴とするスナップ式磁気ボタンから構成される。
【００１０】
尚、スナップ式ボタンにおいては、図１に示す磁石が内蔵されたステム付キャップ（１）側と、図２に示す係止部材であるソケット（６）側があり、何れも材質は樹脂製で、ステム付キャップ（１）側は、キャップ部（２）とステム部（５）と磁石（４）を一体形成したものであり、ソケット（１）側は、中心部にキャップ側のステム係止部（５ａ）が嵌着可能な係止穴（６ａ）が設けられている。
【００１１】
そして、上記スナップ式ボタンの磁石（４）の内蔵方法について説明すると、磁石（４）を内蔵するキャップ部（２）は図１（Ａ）に示す様に、予め上下2分割されていて、下側キャップ（２ｂ）の空隙部に磁石を挿入した後、上側キャップ（２ａ）を被せ圧着又は溶着する事で一体化を図っている。
【００１２】
次に、靴の中敷用スナップ式ボタンの概略寸法について説明すると、まず、ステム付キャップ（１）のキャップ部（２）の外径寸法（Ｄ１）はφ１２ｍｍで、キャップ部（２）の板厚寸法（Ｔ１）が２．５ｍｍで、ステム部（５）の外径寸法（ｄ）はφ３．６ｍｍで、ステム部（５）の首下寸法（Ｌ）が約３．２ｍｍに形成されている。但し、ステム部（５）の首下寸法（Ｌ）については、スナップ式ボタンの着用部材（ＷＰ）の板厚寸法に応じて、その都度適合する寸法に変えて形成されている。
【００１３】
次に、ソケット（６）の外径寸法（Ｄ３）はφ１０ｍｍで、板厚寸法（Ｔ２）が２．５ｍｍで、ステム係止部（６ａ）の外径寸法（ｄ'）がφ３．７ｍｍに形成されている。
【００１４】
又、図３は靴の中敷或いは衣類等の着用部材（ＷＰ）に係止して使用した時の部分拡大断面図である。
【００１５】
更に、図４は使用例を示し、靴の中敷に使用した時の平面図である。
【００１６】
上記実施例１では靴の中敷に使用した時の例を挙げたが、この他衣類や寝具等にも幅広く着用可能で、身体の患部に適合した位置にスナップ式磁気ボタンを装着する事で、誰でも簡単に治療をする事が出来る。
【実施例２】
【００１７】
この発明の他の実施例を図５に従って詳述すると、ステム（５）付キャップ（１'）とソケット（６）を組み合わせて成るスナップ式ボタンにおいて、ステム（５）付キャップ（１'）側を磁性体で形成した事を特徴とするスナップ式磁気ボタンから構成される。
【００１８】
上記のスナップ式ボタンの材質は、磁力を加えて磁性体に加工可能な金属製のものを使用し、一体で形成している。又、寸法形状は上記の磁石内蔵型のスナップ式ボタン（１）と統一されている。
【産業上の利用可能性】
【００１９】
この発明のスナップ式磁気ボタンは、スナップ式ボタンで有りながら、ステム付キャップのキャップ部に磁石を挿入するか、或いは、キャップ部材を磁性材で形成する為、該キャップに当接する身体の部分は磁力線によって血液の流れが良くなる等の効果を奏し、且つ、用途が広範囲で、大人から子供に至るまで、誰でも簡単に取り付け、取り外しが出来る点で広範囲の市場に寄与する点で産業上の利用可能性を有する。
【図面の簡単な説明】
【００２０】
【図１】この発明の一実施例を示し、（Ａ）はステム付キャップの一部欠截正面図で、（Ｂ）は一部欠截底面図である。
【図２】この発明の一実施例を示し、（Ａ）はソケット側の一部欠截正面図で、（Ｂ）は底面図である。
【図３】この発明の使用例を示し、着用部材に係止して使用した時の部分拡大断面図である。
【図４】この発明の使用例を示し、靴の中敷用に使用した時の平面図である。
【図５】この発明のその他の実施例を示し、（Ａ）はステム付キャップの正面図で、（Ｂ）は底面図である。
【符号の説明】
【００２１】
１  ステム付キャップ（磁石内蔵型）
１’  ステム付キャップ（磁性体型）
２  キャップ部（磁石内蔵型）
２’  キャップ部（磁性体型）
２ａ  上側キャップ
２ｂ  下側キャップ
３  空隙部
４  磁石
５  ステム部
５ａ  ステム係止部
６  ソケット
６ａ  係止穴
ＷＰ  着用部材
【図１】
2005160682.tif 000003
【図２】
2005160682.tif 000004
【図３】
2005160682.tif 000005
【図４】
2005160682.tif 000006
【図５】
2005160682.tif 000007